(57)【要約】【課題】  収容物を取り出す際の上端取出し口の開口形状を大きく保持して収容物を取り出し易くすると共に、収容物が減少した場合でも取り出し易さを保持できるガセット袋を提供する。【解決手段】  前後一対の正面部１４と、これらの正面部１４の内側に折り込み可能な左右一対の側面折り込み部１５とを備え、自立させた状態で上端取出し口１１を開口しつつ収容された洗剤１６を取り出せるようにしたガセット袋１０であって、側面折り込み部１５には、折込み中心線１５と交差して延設する塑性変形可能な横方向線状部材２６が、間隔をおいて複数段取り付けられている。また横方向線状部材２６の間隔部分に、高さ方向の途中で袋を切断させる切断案内線２１が設けられており、正面部１４と側面折り込み部１５とが連接する立辺１７に沿って、塑性変形可能な縦方向線状部材１８が取り付けられている。【選択図】      図２
2005186956.tif 000002
【特許請求の範囲】
【請求項１】
前後一対の正面部と、これらの正面部の内側に折り込み可能な左右一対の側面折り込み部とを備え、自立させた状態で上端取出し口を開口しつつ収容物を取り出せるようにしたガセット袋であって、
前記側面折り込み部には、これの上部から下方に配置されて、折込み中心線と交差して延設する塑性変形可能な横方向線状部材が、間隔をおいて複数段取り付けられているガセット袋。
【請求項２】
前記複数段の横方向線状部材の間隔部分に、高さ方向の途中で袋を切断させる切断案内線が設けられている請求項１記載のガセット袋。
【請求項３】
前記正面部と前記側面折り込み部とが連接する立辺に沿って、塑性変形可能な縦方向線状部材が取出し口部から胴部にかけて各々取り付けられている請求項１又は２に記載のガセット袋。
【請求項４】
請求項１〜３のいずれかに記載のガセット袋に粉粒状の洗剤を収容してなる洗剤製品。
【発明の詳細な説明】
【技術分野】
【０００１】
本発明は、ガセット袋及び洗剤製品に関し、特に前後一対の正面部と、これらの正面部の内側に折り込み可能な左右一対の側面折り込み部とを備え、自立させた状態で上端取出し口を開口しつつ収容物を取り出せるようにしたガセット袋及び該ガセット袋に粉粒状の洗剤を収容した洗剤製品に関する。
【背景技術】
【０００２】
ガセット袋は、一枚又は複数枚のシート材料から形成される、前後一対の正面部と、これらの正面部の内側にＶ字状に折り込み可能な左右一対の側面折り込み部とを備える袋であって、側面折り込み部を折り込んで平坦に折り畳まれている状態から、開口部付近の折り込み部分を開いて矩形形状の上端開口を形成し、この上端開口から内部に種々の収容物を収容できるようになっている。
【０００３】
また、このようなガセット袋は、上端開口から収容された収容物が不用意に露出しないようにすると共に、収容された収容物を再び取り出すことができるように、例えば開口部付近の正面部に折れ癖線を設けて上端部分を折り返させるようにしたり、一方の正面部の上端にカバー片を連接配置して当該カバー片に係止紐を設け、この係止紐を他方の正面部の開口部付近に設けた巻付け係止片に巻き付けて、上端開口を閉塞させるような工夫がなされている。
【０００４】
さらに、このようなガセット袋においては、収容物を収容した後の上端開口の開閉をよりスムーズ且つ確実に行えるように、防水性コートが施されたクラフト紙による袋の袋口近傍に、縦方向に延設する閉塞用の金属部材（アルミニウム）片を設けたもの（例えば、特許文献１参照）や、紙、ビニール等によって作成した袋本体の口部の一方または両方の縁部に沿って横方向に、更には側縁に沿って、針金またはリボン状の金属芯材を取り付けた封かん口金具を備えたもの（例えば、特許文献２参照）が開示されている。
【０００５】
さらにまた、左右側壁に折りひだを有するごみ袋において、左右側壁の袋口縁部に沿って薄い金属帯板や針金を設けたものや（例えば、特許文献３参照）、廃棄物処理用袋の周囲の四隅に止具を備え付けて、この止具を介して袋の四隅を針金等からなる支柱部に止め付けたもの（例えば、特許文献４参照）が開示されている。
【特許文献１】特開２０００−７２１５９号公報
【特許文献２】実開昭４９−１２１１２号公報
【特許文献３】実公昭５１−４６３７２号公報
【特許文献４】特開昭６１−１４２１２３号公報
【発明の開示】
【発明が解決しようとする課題】
【０００６】
一方、ガセット袋は、これを構成するシート材料や当該ガセット袋の形態等を工夫することにより、その用途が拡大している。そして、例えば粉状又は粒状の洗剤等を収容物として収容した状態で製品化されるガセット袋においては、特にガセット袋を自立させた状態で用いるものである場合、収容物を取り出し易くするために、上端の取出し口を開口させた際に、側面折り込み部のＶ字状の折れ癖に抗して、当該上端取出し口を大きく開口させた状態に保持しておくことが望ましい。
【０００７】
しかしながら、上記特許文献１，２のガセット袋によれば、平坦に折り畳まれている状態から、側面折り込み部の折り込み部分を拡げて矩形形状の上端開口を形成し、しかる後に収容物を収容する紙又はプラスチック製の簡易な袋であることから、これらを例えば洗剤等の収容物を繰り返し取り出して使用できるようにした袋容器として製品化する場合には、種々の問題を生じることになる。すなわち、特許文献１に記載のガセット袋は、例えばゴミや嘔吐物を収容するために自動車内に備え付けられるクラフト紙による小型の紙袋であり、閉塞用の金属部材（アルミニウム）片は、単に袋口を閉塞するためのものであって、ガセット袋を開閉しつつ収容された収容物を繰り返し取り出し易くするものではない。また、特許文献２に記載のガセット袋は、紙、ビニール等によって作成される袋であり、袋本体の口部に取り付けた封かん口金具は、品物を入れて口部を閉じた後に、当該封かん口金具を折り曲げるだけの作業によって、封かん紙等を貼りつけることなく口部を閉塞するためのものであって、ガセット袋を開閉しつつ収容された収容物を繰り返し取り出し易くするものではない。
【０００８】
さらに、上記特許文献３，４のごみ袋や廃棄物処理用袋によれば、袋口縁部に沿って設けられた薄い金属帯板や針金、あるいは袋の四隅が止め付けられる針金等の線材からなる支柱部は、袋にゴミや廃棄物を投入する間は袋の開口形状を保持するものであるが、針金等を折り曲げて当該袋を封緘した後は、再び袋を開封するものではないため、袋を開閉しつつ収容された収容物を繰り返し取り出し易くするものではない。
【０００９】
さらにまた、洗剤等の収容物を繰り返し取り出して使用できるようにしたガセット袋においては、特にガセット袋を自立させた状態で用いるものである場合、使用により収容物が減少するのに伴って、上部の収容物が収容されない部分が大きくなることにより、取出し口から収容物に至るまでの長さが長くなって、収容物を取り出し難くなる。
【００１０】
本発明は、収容物を封入した状態で製品化され、例えば上端の封止部分を切り取って取出し口を形成し、収容物を繰り返し取り出して使用できるようにしたガセット袋において、自立させた状態で収容物を取り出す際の上端取出し口の開口形状を大きく保持することを可能にして収容物を取り出し易くすると共に、収容物が減少した場合でも、収容物の取り出し易さを容易に保持することのできるガセット袋及び該ガセット袋に粉粒状の洗剤を収容した洗剤製品を提供することを目的とする。
【課題を解決するための手段】
【００１１】
本発明は、前後一対の正面部と、これらの正面部の内側に折り込み可能な左右一対の側面折り込み部とを備え、自立させた状態で上端取出し口を開口しつつ収容物を取り出せるようにしたガセット袋であって、前記側面折り込み部には、これの上部から下方に配置されて、折込み中心線と交差して延設する塑性変形可能な横方向線状部材が、間隔をおいて複数段取り付けられているガセット袋を提供することにより、上記目的を達成したものである。
【００１２】
また、本発明は、前記ガセット袋に粉粒状の洗剤を収容してなる洗剤製品を提供することにより、上記目的を達成したものである。
【００１３】
ここで、塑性変形可能な横方向線状部材は、例えば金属製の針金や、板、細幅状板、メッシュ、リボン、或いは形状記憶合金、形状記憶樹脂等からなり、手の指の力で容易に折り曲げて変形させることができると共に、折り曲げ後の形状を容易に保持できる程度の塑性変形性を備える線状部材であり、且つ例えばＶ字状に折り込まれた側面折り込み部を拡げた際に、側面折り込み部のシート材料のＶ字形状への折り返し復元力に抵抗して、側面折り込み部が拡げられた状態を安定して保持できる程度の塑性変形時の保形剛性を有するものである。また横方向線状部材には、針金等の線形部材の他、ある程度の幅をもった例えば細長い帯板状の部材も含まれる。さらに横方向線状部材は、一本の線状部材として連続しているものの他、断続的に連続しているものも含まれる。
【００１４】
さらにまた、横方向線状部材は、折り込まれた側面折り込み部を拡げた際に、その保形剛性によって当該拡げられた状態を安定して保持できる形態であれば、折込み中心線と垂直に交差して延設している必要は必ずしもなく、折込み中心線に対してある程度斜めに交差して延設している場合の他、例えば折込み中心線の両側にＶ字状に延設したり、円弧状等の湾曲する形状で延設している場合も含まれる。
【発明の効果】
【００１５】
本発明によれば、収容物を封入した状態で製品化され、例えば上端の封止部分を切り取って取出し口を形成し、収容物を繰り返し取り出して使用できるようにしたガセット袋又は該ガセット袋に粉粒状の洗剤を収容した洗剤製品において、自立させた状態で収容物を取り出す際の上端取出し口の開口形状を大きく保持することを可能にして収容物を取り出し易くすると共に、収容物が減少した場合でも、収容物の取り出し易さを容易に保持することができる。
【発明を実施するための最良の形態】
【００１６】
図１に示す本発明の好ましい一実施形態に係るガセット袋１０は、収容物として例えば粉末状の洗剤を収容する容器として用いられ、図２（ａ），（ｂ）に示すように、上端取出し口１１を封止して製品化されている状態から、使用者がこの封止部分を切り取り線２０に沿って切り取って上端取出し口１１を開口形成し、当該上端取出し口１１から洗剤１６を繰り返し取り出して使用できるようにすると共に、洗剤１６を必要量取り出したら、その都度、取出し口部１３をスムーズ且つ安定した状態で閉塞させて、収容された洗剤１６を効果的に保存することを可能にするものである。すなわち、本実施形態に係るガセット袋１０は、粉末状の洗剤１６を繰り返し取り出し可能に収容する洗剤製品を構成するものである。
【００１７】
そして、本実施形態のガセット袋１０は、前後一対の正面部１４と、これらの正面部１４の内側にＶ字状に折り込み可能な左右一対の側面折り込み部１５とを備え、自立させた状態で上端取出し口１１を開口しつつ収容された洗剤１６を取り出せるようにした洗剤用の袋容器であって、側面折り込み部１５には、これの上部から下方に配置されて、折込み中心線２５と交差して延設する塑性変形可能な横方向線状部材２６が、間隔をおいて複数段（３段）取り付けられている。
【００１８】
また、本実施形態によれば、３段の横方向線状部材２６の間隔部分に、高さ方向の途中で袋を切断させる切断案内線２１が設けられている。
【００１９】
さらに、本実施形態によれば、正面部１４と側面折り込み部１５とが連接する各立辺１７に沿って、塑性変形可能な縦方向線状部材１８が取出し口部１３から胴部１２にかけて各々取り付けられている。
【００２０】
本実施形態によれば、ガセット袋１０は、予め設計された所定の形状に切断加工された１枚又は複数枚のシート材料２２に、公知の各種の折り曲げ加工や接合加工を施すことにより、矩形形状を有する底部１９と、底部１９の各辺部から立設する前後一対の正面部１４及び左右一対の側面折り込み部１５によって周囲を囲まれて、洗剤を収容する袋容器の本体部分を構成する胴部１２と、この胴部１２の上方部分に一体として連続配置され、当該ガセット袋１０を閉塞する際に折り返される部分である取出し口部１３とからなるガセット袋容器として形成される。またガセット袋１０は、上端取出し口１１から収容物である粉末状の洗剤１６を予め設計された所定量投入した後に（図２（ｂ）参照）、左右一対の側面折り込み部１５をＶ字状に内側に折り込むようにしながら上端取出し口１１を例えばシール接合して封止することにより、投入された洗剤１６を内部に封入すると共に（図２（ａ）参照）、洗剤１６の未収容部分である取出し口部１３を例えば２重に折り返した状態で、洗剤製品として製品化されている（図１参照）。
【００２１】
また、本実施形態によれば、ガセット袋１０を構成するシート材料２２として、アルミ箔層を含む多層シートが用いられており、好ましくは、図３に示すように、例えば最外層である第１層がポリエステル、第２層がポリエチレン、第３層がアルミ箔、第４層がポリエチレン、最内層である第５層がシーラント層からなる５層構造の多層シートを用いることができる。また多層シートにおけるアルミ箔層の厚さは、５〜５０μｍとすることが好ましく、５〜２０μｍとすることがさらに好ましい。シート材料２２としてアルミ箔層を含む多層シートを用いることにより、再封（リシール）する際の折り曲げ作業を容易にすることができ、また袋にしわ等が発生し難くなってガセット袋１０の外観を良好に保持することが可能になる。
【００２２】
さらに、前後一対の正面部１４と左右一対の側面折り込み部１５は、胴部１２及び取出し口部１３の４箇所の各立辺１７において、シート材料２２の最内層のシーラント層を立辺１７に沿って例えば２〜３０ｍｍ程度のヘムシール幅で折返し、融着接合することによる折返しシール部であるヘムシール２３を形成していると共に、矩形断面を有する中空筒状に接合一体化されている。またこれによって、ガセット袋１０の上端の取出し口１１は、これを開封した際に、底部１９と略同様の大きさの矩形形状を有することになる。なお、前後一対の正面部１４と左右一対の側面折り込み部１５とが４箇所の立辺１７において各々ヘムシール２３を介して連接されていることにより、ガセット袋１０の形状保持性及び取出し口１１の開口保持性を十分に発揮することが可能になる。
【００２３】
そして、本実施形態によれば、各側面折り込み部１５に取り付けられる塑性変形可能な横方向線状部材２６は、折込み中心線２５と垂直に交差する直線状の部材として、側面折り込み部１５の略全幅に亘って各々延設され、側面折り込み部１５の上部である、上端の取出し口１１と近接する上端部分に１本に設けられると共に、当該上端部から下方に例えば２０〜１００ｍｍ程度の間隔をおいて２本設けられることにより、合計３段取り付けられている。
【００２４】
また、本実施形態によれば、各横方向線状部材２６は、その両端が、正面部１４と側面折り込み部１５とが連接する各立辺１７に沿って設けられた縦方向線状部材１８に連続して、これらの縦方向線状部材１８と共に３段のコの字形状を形成している。
【００２５】
ここで、本実施形態によれば、塑性変形可能な横方向線状部材２６や縦方向線状部材１８は、例えば０．１〜５．０ｍｍ、好ましくは０．３〜１．０ｍｍの太さの金属製の針金からなり、例えば接着テープ等によって覆われるようにして側面シート１５の外側面に貼り付けられている。また本実施形態によれば、縦方向線状部材１８は、切断案内線２１が交差する部分で予め切断された状態で断続的に連続して設けられている。
【００２６】
なお、本実施形態によれば、横方向線状部材２６や縦方向線状部材１８として、例えば０．１〜５．０ｍｍ、好ましくは０．３〜１．０ｍｍの太さの金属製の針金を被覆樹脂で覆ったものを好ましく用いることができる。ここで、被覆樹脂としては、例えばポリオレフィン系樹脂、塩化ビニル、等を用いることができる。横方向線状部材２６や縦方向線状部材１８として針金を被覆樹脂で覆ったものを用いることにより、針金の厚さ（径）を実質的に大きくして、これらの線状部材２６，１８の折り曲げ強度を向上させることが可能になると共に、線状部材２６，１８が折り曲げられる際の折り曲げ半径大きくして、繰り返し曲げ耐久性を効果的に向上させることが可能になる。また被覆樹脂は、金属製の針金を幅広の平たい形状で覆うことが好ましく、これによって横方向線状部材２６や縦方向線状部材１８のハンドリング性を向上させることが可能になる。
【００２７】
また、本実施形態によれば、３段の横方向線状部材２６の間隔部分に設けられる切断案内線２１は、例えば切断テープによって構成され、側面折り込み部１５における当該切断案内線２１が、２段目及び３段目の横方向線状部材２６に近接する上方部分を平行に通過するように配置されて、ガセット袋１０の全周に亘って、前後一対の正面部１４及び左右一対の側面折り込み部１５に連続して２段に設けられ、袋の高さ方向の途中でガセット袋１０を切断させることができるようになっている。
【００２８】
ここで、切断案内線２１を構成する切断用テープは、例えばテープを引き剥がすことにより、それ自体が切断機能を備えるものである。切断用テープとしては、例えば特開２０００−１４２７２６に開示されているような、袋本体を構成するフィルムの熱溶着側の一方の端部から袋本体を周回して他方の端部に亘って固着した開封テープを用いることができる。
【００２９】
なお、本実施形態によれば、切断案内線２１は、ガセット袋を横方向に横断する切り込みが容易に形成されるように案内する線状の部分であって、上述の切断用テープのように、それ自体が切断機能を備えているものの他、鋏等の切込み部材による切断箇所を、線分等によって単に誘導或いは明示するものであっても良い。また切断案内線２１は、例えば鋏等の切込み部材による切断位置を単に誘導或いは明示するものの場合には、ガセット袋１０の少なくとも一方の正面部１４に設けられていれば良い。
【００３０】
また、本実施形態によれば、縦方向線状部材１８は、上述のように、切断案内線２１が交差する部分で予め切断された状態で断続的に連続して設けられていることにより、切断案内線２１に沿って切断可能な構成を備えているが、縦方向線状部材１８を切断案内線２１に沿って切断可能とする他の方法としては、縦方向線状部材として鋏等の切込み部材によって切断可能な材料を用いたり、縦方向線状部材の切断案内線が交差する部分を切込み部材によって切断可能な材料で形成する方法等を採用することもできる。
【００３１】
そして、本実施形態のガセット袋１０は、上述のように粉末状の洗剤１６を封入した状態で洗剤製品として製品化され、使用者は、上端の封止部分を切り取って上端取出し口１１を開口形成し、上端取出し口１１の開放及び取出し口部１３の折り返しによる上端取出し口１１の閉塞（図４参照）を繰り返しつつ、洗剤１６を繰り返し取り出して使用することになるが、本実施形態のガセット袋１０によれば、自立させた状態で洗剤１６を取り出す際の上端取出し口１１の開口形状を大きく保持することを可能にして洗剤１６を取り出し易くすると共に、洗剤１６が減少した場合でも、洗剤１６の取り出し易さを容易に保持することができる。
【００３２】
すなわち、本実施形態によれば、側面折り込み部１５には、上端取出し口１１に近接する上部から下方に配置されて、折込み中心線２５と交差して延設する塑性変形可能な横方向線状部材２６が、間隔をおいて３段取り付けられているので、上端取出し口１１を開口する際に、横方向線状部材２６を直線状に復元して支持させることにより、内側に折り込まれていた側面折り込み部１５を延ばした状態として、矩形形状に拡がった上端取出し口１１の大きな開口形状を容易に保持することが可能になり、これによって収容した洗剤１６の取り出し易さを向上させることが可能になる。
【００３３】
また、本実施形態によれば、横方向線状部材２６は、ガセット袋１０の高さ方向に間隔をおいて複数段（３段）設けられているので、使用により内部の洗剤１６が減少するのに伴って、上部の洗剤１６が収容されない部分が大きくなることにより上端取出し口１１から洗剤に至るまでの長さが長くなっても、必要に応じてガセット袋１０の上方部分を、２段目或いは３段目の横方向線状部材２６に近接する上方部分で切断案内線２１を介して順次切断し、洗剤１６が収容されていない余剰部分の袋を切り離して行くことにより、２段目或いは３段目の横方向線状部材２６による上端取出し口１１の大きな開口形状を保持する機能によって、洗剤１６の取り出し易さを引き続き向上させることが可能になる。
【００３４】
さらに、本実施形態によれば、正面部１４と側面折り込み部１５とが連接する立辺１７に沿って、塑性変形可能な縦方向線状部材１８が取出し口部１３から胴部１２にかけて各々取り付けられているので、上端取出し口１１を開封して矩形形状に開放した際に、４箇所の立辺１７において立設する縦方向線状部材１８が４隅における柱としての機能を果たし、ガセット袋１０を自立させた状態において、上端取出し口１１を広く開放させた状態をより効果的に保持することが可能になる。また縦方向線状部材１８は、手の指の力で容易に折り曲げて変形させることができると共に、折り曲げ後の形状を容易に保持できる程度の塑性変形性を備えており、且つ取出し口部１３を折り返してガセット袋１０を閉塞した際に、取出し口部１３のシート材料２２による折り返し復元力に効果的に抵抗して、取出し口部１３の折り返し状態を安定して保持できる程度の塑性変形時の保形剛性を有しているので、側面折り込み部１５を内側に折り込みつつ上端取出し口１１における一対の正面部１４の上端を重ね合わて当該上端取出し口１１を閉じながら、縦方向線状部材１８と共に取出し口部１３のシート材料２２を折り返し部２４に沿って下方に折り返すだけの簡単な操作によって、図４に示すように、ガセット袋１０の取出し口部１３を容易且つ確実に閉塞することが可能になる。
【００３５】
なお、本発明は、上記各実施形態に限定されることなく種々の変更が可能である。例えば、ガセット袋を構成するシート材料は、アルミ箔層を含む上記構成の多層シートである必要は必ずしもなく、アルミ箔層を含まないシート材料や単層のシート材料であっても良い。例えばポリエステル、ポリエチレン等のシート材料を用いることができる。また収容される収容物は、粉末状の洗剤である必要は必ずしもなく、シャンプーやリンス等の液体収容物や、菓子等の固体収容物等、その他の各種の収容物を収容する袋容器として使用することもできる。
【００３６】
また、切断案内線を複数の横方向線状部材の間隔部分に設ける必要は必ずしもなく、当該間隔部分の任意の位置で袋を切断させるようにしても良い。
【００３７】
さらに、正面部と側面折り込み部とが連接する立辺に沿って縦方向線状部材を設ける必要は必ずしもなく、例えば図５（ａ）〜（ｃ）に示すように、横方向線状部材２６は、上端取出し口１１の開口状態を保持する機能を損なわない範囲で、折込み中心線２５に対してある程度斜めに交差するように設けることができる他、折込み中心線の両側にＶ字状に延設させたり円弧状等の湾曲する形状で延設させて設けることもできる。また横方向線状部材は、２段又は４段以上設けることもできる。
【図面の簡単な説明】
【００３８】
【図１】本発明の一実施形態に係るガセット袋による洗剤製品を示す斜視図である。
【図２】（ａ）は本発明の一実施形態に係るガセット袋に収容物を封入した状態を示す斜視図、（ｂ）は同上端取出し口を開口する状態を示す斜視図である。
【図３】ガセット袋を構成するシート材料の層構成の一例を説明する断面図である。
【図４】取出し口部を折り返してガセット袋を閉塞する状態を示す斜視図である。
【図５】横方向線状部材の他の形態を例示す側面図である。
【符号の説明】
【００３９】
１０  ガセット袋
１１  上端取出し口
１２  胴部
１３  取出し口部
１４  正面部
１５  側面折り込み部
１６  洗剤（収容物）
１７  立辺
１８  縦方向線状部材
１９  底部
２０  切り取り線
２１  切断案内線
２２  シート材料
２３  ヘムシール
２４  折り返し部
２５  折込み中心線
２６  横方向線状部材
【図１】
2005186956.tif 000003
【図２】
2005186956.tif 000004
【図３】
2005186956.tif 000005
【図４】
2005186956.tif 000006
【図５】
2005186956.tif 000007